(57)【特許請求の範囲】
【請求項１】
床下収納庫の開閉蓋に配設される把手構造であって、回転軸を有する把手本体とこれを保持する把手基台とが樹脂製であり、把手本体の収納時には、開閉蓋と面一になる把手本体の引き手部が、その下面において、把手基台に設けたツバ部により支持されて、上部から加えられる荷重に耐えることができるようにし、把手本体の引き手部の起立時には、把手本体に設けたツバ部が、把手基台に設けたツバ部の下面に当接されて、開閉蓋の荷重を支えることができるようにしたことを特徴とする床収納庫の把手構造。
【請求項２】
把手本体の回転軸は、把手基台に設けた軸受け凹部に回転可能に係合されて、把手本体が収納および起立可能とされているとともに、回転軸の両端部には、把手本体の収納時に荷重が加わる回転軸の上下面からずれた位置である側面に誘導用のテーパー部が設けられていることを特徴とする請求項１の床下収納庫の把手構造。
【発明の詳細な説明】
【０００１】
【発明の属する技術分野】
この出願の発明は、住宅等における床下収納庫の把手構造に関するものであり、さらに詳しくは、床下収納庫の開閉蓋用の把手として、軽量で容易な成形により低コストであって、しかも強度も良好な、新しい把手構造に関するものである。
【０００２】
【従来の技術】
従来より、収納庫本体の上面開口に、閉鎖時には床面としても機能する開閉蓋を載置した床下収納庫が知られている。そして、このような床下収納庫については、把手本体とこれを保持する把手基台とを有する金属製の把手が設けられており、回転軸の回転によって、把手本体が、その収納時には開閉蓋と面一となり、開閉蓋を開ける際には起立するようにした把手構造が知られてもいる。
【０００３】
【発明が解決しようとする課題】
しかしながら、以上のような金属製の把手の場合には、金属製であることによって開閉蓋の重量増加の要因となり、しかも床面の一部を構成することになる金属製の把手は視覚的にも異和感を与え、その感触も冷たいという問題があった。
【０００４】
また、金属製の把手の場合には、把手本体と把手基台とが別部材の回転軸により係合されているため、部品点数が多く、組立効率が悪く、さらには把手本体の収納時に、上部からの荷重により変形することがあるという問題があった。
【０００５】
そこで、従来の金属製の把手に代わるものとして、把手を樹脂製のものとし、軽量化を図り、金属製の場合の視覚的異和感や冷たい感触という問題を解消し、かつ、樹脂による回転軸の一体成形によって、部品点数の低減や組立効率の向上等による低いコストを図ることが考えられている。
【０００６】
だが、樹脂製のものへの交換は、それだけでは実際的ではない。従来は、金属製の把手であることによって、回転軸により、把手本体収納時に上部からかかる荷重を支え、蓋を開ける際の蓋の荷重を支えていたが、樹脂製では、そのための強度が不足し、回転軸の変形や破壊が生じることが懸念されるからである。
【０００７】
また、確かに樹脂製とすることによって、把手本体と回転軸との一体成形が可能になるものの、回転軸の把手基台への挿入組立をどのようにするのかや、上記の強度不足の問題をどのように解決するのかの問題が残されているからである。
【０００８】
この出願の発明は、以上のとおりの事情に鑑みてなされたものであって、樹脂製の把手とすることにより軽量化をはじめとする従来の金属製の把手の場合の問題点を解消し、しかも強度の不足や組立性の問題点をも解消した。新しい床下収納庫の把手構造を提供することを課題としている。
【０００９】
【課題を解決するための手段】
この出願の発明は、上記の課題を解決するものとして、第１には、床下収納庫の開閉蓋に配設される把手構造であって、回転軸を有する把手本体とこれを保持する把手基台とが樹脂製であり、把手本体の収納時には、開閉蓋と面一になる把手本体の引き手部が、その下面において、把手基台に設けたツバ部により支持されて、上部から加えられる荷重に耐えることができるようにし、把手本体の引き手部の起立時には、把手本体に設けたツバ部が、把手基台に設けたツバ部の下面に当接されて、開閉蓋の荷重を支えることができるようにしたことを特徴とする床下収納庫の把手構造を提供する。
【００１０】
さらに、この出願の発明は、第２には上記の床下収納庫の開閉蓋に配設される把手構造において、把手本体の回転軸は、把手基台に設けた軸受け凹部に回転可能に係合されて、把手本体が収納および起立可能とされているとともに、回転軸の両端部には、把手本体の収納時に荷重が加わる回転軸の上下面からずれた位置である側面に誘導用のテーパー部が設けられていることを特徴とする床下収納庫の把手構造を提供する。
【００１１】
【発明の実施の形態】
この出願の発明は上記のとおりの特徴をもつものであるが、以下にその実施の形態について説明する。
【００１２】
この出願の発明は、従来の金属製の把手に代って、樹脂製の把手構造を提供するものである。そして、樹脂製とする場合の強度不足の懸念を解消し、樹脂一体成形による特徴を生かし、しかも組立を容易ともしているのである。
【００１３】
この出願の第１の発明においては、前記のとおり、床下収納庫の開閉蓋に配設される把手構造であって、回転軸を有する把手本体とこれを保持する把手基台とを樹脂製とし、収納時には、開閉蓋と面一になる把手本体の引き手部が、その下面において、把手基台に設けたツバ部により支持されることで床下収納庫の把手構造としての強度が確保されるようにしている。
【００１４】
図１は、この把手構造の一実施例を示した平面図と、そのＡ−Ａ矢視図であるが、たとえばこの図１に例示したように、把手本体（１）は回転軸（１１）を有し、この回転軸（１１）が、把手基台（２）に係合保持されることによって回転可能とされている。また、この回転にともなって、把手本体（１）は、把手基台（２）に収納が可能とされている。この収納状態においては、図１に示したように、把手本体（１）は、床面を構成することになる開閉蓋（３）と面一となり、同様に床面の一部を構成することになる。
【００１５】
また、前記の回転軸（１１）の回転によって、把手本体（１）は、開閉蓋（３）の開放に際しては、把手基台（２）からの起立が可能とされている。この起立を可能とするために、図１の例においては、回転軸（１１）に対し、引き手部（１２）とは反対例の指圧部（１３）を指で押すことによって、引き手部（１２）が立上がり、この引き手部（１２）を起立させて握り部（１４）を手で握ることができるようにしている。
【００１６】
そして、把手基台（２）には、把手本体（１）の指圧部（１３）を指で押し込むことができるようにくぼみ（２１）が設けられており、また、握り部（１４）が回転できるように、スリット（隙間）が設けられてもいる。
【００１７】
この出願の第１の発明では、この図１の例において、収納時に開閉蓋（３）と面一になる把手本体（１）の引き手部（１２）が、その下面において、把手基台（２）に設けたツバ部（２２）により支持されるようにしている。
【００１８】
従来の金属製の把手の場合には、比較的強度があることから、把手本体（１）の収納時に、上部より加えられる、つまり人が床面として歩行する場合や、荷物、物品等を載置した場合等に加わる上部からの力や荷重は、把手本体を回転可能にする回転軸のみにより支えることができたが、樹脂製の把手の場合には、回転軸だけでは強度が不足し、上部から加えられる力や荷重により回転軸が変形したり、破損することが懸念される。
【００１９】
しかしながら、把手基台（２）のツバ部（２２）により把手本体（１）の引き手部（１２）下面を支持するようにしたこの出願の第１の発明の構造によって、上部から加えられる力や荷重に耐えることができる。回転軸（１１）とこのツバ部（２２）による引き手部（１２）の支持構造で、上部からの力や荷重が分散されて支えられることになる。
【００２０】
図１の例のように、把手基台（２）のツバ部（２２）は、把手本体（１）の引き手部（１２）下面の両側縁に均等な長さと幅で設けることが好ましい。また、引き手部（１２）の下面には、このツバ部（２２）に対応する段差部を設けておいてもよい。
【００２１】
把手本体（１）は、以上のような上部からの力や荷重に耐えるだけでなく、把手本体（１）を起立させ、握り部（１４）を手で握って開閉蓋（３）を開く際に加わる、開閉蓋（３）の荷重にも耐えねばならない。
【００２２】
この荷重を、回転軸（１１）だけで耐えるには、樹脂製の把手では強度の不足が懸念されることになる。
【００２３】
そこで、この出願の第１の発明では、図１とともに図２の実施例にも例示したように、把手本体（１）の引き手部（１２）の起立時には、把手本体（１）に設けたツバ部（１５）が、把手基台（２）に設けたツバ部（２２）の下面に当接されることを特徴とする床下収納庫の把手構造を採用している。
【００２４】
このような構造とすることによって、開閉蓋（３）を開ける際に、その荷重が回転軸（１１）に集中することがなく、回転軸（１１）と、把手本体（１）のツバ部（１５）並びに把手基台（２）のツバ部（２２）の当接構造とによって、全体的に開閉蓋（３）の荷重を支えることができる。このため、回転軸（１１）の変形や破壊を未然に防止することが可能となる。
【００２５】
また、この出願の第２の発明では、図１および図２にも実施例として示したように、把手本体（１）の回転軸（１１）は、把手基台（２）に設けた軸受け凹部に回転可能に係合させて、把手本体（１）が収納および起立可能とされているとともに、回転軸（１１）の両端部には、把手本体の収納時に力を加わる方向からずれた位置である側面に誘導用のテーパー部（１１Ａ）が設けられている。
【００２６】
この場合の誘導用のテーパー部（１１Ａ）は、図２に例示したように、把手基台（２）に把手本体（１）を取付組立てする際に、回転軸（１１）が、把手基台（２）の軸受け凹部にスライド挿入しやすいようにガイドする役割を果たすものである。
【００２７】
すなわち、回転軸（１１）は、樹脂製であることを利用して、図２中の矢印αの方向から弾性的嵌合によって把手基台（２）の軸受け凹部に挿入取付けすることができ、その際の挿入ガイドの役割を誘導用テーパー部（１１Ａ）が果たすことができるようにしている。このため、把手本体（１）と樹脂一体成形した回転軸（１１）は、把手基台（２）に対して極めて容易に取付け組立することができる。従来の金属製の把手のように、回転軸を別部材として取付け組立てする必要がないため、従来に比べて部品点数を減らすことができ、組立て作業の効率を向上させ、低コスト化を図ることができる。
【００２８】
そして、このようなガイドの役割を果たす誘導用テーパー部（１１Ａ）は、図１に示したように、把手本体（１）の収納時に上部から力や荷重が加わる方向からずれた位置である側面に設けられるので、これらの力や荷重によって、従来の別部材とした回転軸の場合のように、回転軸（１１）が変形し破損するという問題も生じない。
【００２９】
もちろん、この出願の前記のとおりの第１および第２の発明については、図１並びに図２の例に限定されることなく、各々の細部についての形態は様々なものとすることができる。また、実際の床下収納庫の開閉蓋においては、各々の発明の特徴を組合わせ、併用してもよいことは言うまでもない。樹脂製の把手として、開閉蓋の大きさや重量、あるいは床下収納庫と開閉蓋の配置場所や条件に応じて組合わせ、併用することができる。
【００３０】
把手を構成する樹脂については、強度、耐久性、さらには耐水性の良好な素材として各種のものであってよい。たとえば、不飽和ポリエステル系樹脂や、ポリアミド系樹脂、ポリエーテル系樹脂、ポリカーボネート系樹脂、エポキシ系樹脂等の各種のものから選択されてよい。
【００３１】
【発明の効果】
以上詳しく説明したとおり、この出願の第１の発明によって、床下収納庫開閉蓋の把手を樹脂製とすることで、従来の金属製の場合に比べて軽量化を図り、金属の視覚的異和感や冷たい感触の問題を解決するとともに、良好な強度を確保することができ、しかも第２の発明によって、樹脂一体成形で、部品点数の低減、容易な取付け組立性等で低コスト化を図り、あわせて強度も確保することが可能となる。
【図面の簡単な説明】
【図１】  この発明の実施例を把手本体の収納時について例示した平面図とそのＡ−Ａ矢視断面図である。
【図２】  この発明の実施例を把手本体の起立時について例示した断面図である。
【符号の説明】
１  把手本体
１１  回転軸
１１Ａ  テーパー部
１２  引き手部
１３  指圧部
１４  握り部
１５  ツバ部
２  把手基台
２１  くぼみ部
２２  ツバ部
３  開閉蓋
【図１】
0003757773.tif 000002
【図２】
0003757773.tif 000003